(57)【要約】【課題】通信システムの安全な運用を維持しながらも、給電ハブに多くの無線装置を接続したい。【解決手段】ＬＡＮ−ＩＦ部５０は、無線ネットワークでのチャネルを割り当てることによって、端末装置との通信をそれぞれ実行する複数の無線装置を給電ハブ経由で接続する。また、ネットワークＩＦ部５４は、ネットワーク１４を接続する。処理部５２は、複数の無線装置のそれぞれでの無線ネットワークのチャネルと、通信網でのチャネルとを接続する。処理部５２は、複数の無線装置におけるチャネルの割当状況をもとにした複数の無線装置での消費電力を取得する。さらに、処理部５２は、取得した消費電力と、給電ハブから複数の無線装置へ供給可能な電力に応じたしきい値とを比較することによって、複数の無線装置の動作を制御する。【選択図】図４
2008236108.tif 000002
【特許請求の範囲】
【請求項１】
無線ネットワークでのチャネルを割り当てることによって、端末装置との通信をそれぞれ実行する複数の無線装置を給電ハブ経由で一端に接続し、通信網を他端に接続しつつ、かつ複数の無線装置のそれぞれでの無線ネットワークのチャネルと、通信網でのチャネルとを接続する通信部と、
前記通信部を介して、複数の無線装置におけるチャネルの割当状況をもとにした複数の無線装置での消費電力を取得する手段と、取得した消費電力と、給電ハブから複数の無線装置へ供給可能な電力に応じたしきい値とを比較することによって、複数の無線装置の動作を制御する手段とを含む制御部と、
を備えることを特徴とする制御装置。
【請求項２】
前記制御部は、取得した消費電力が増加すると、複数の無線装置に対する動作を制限することを特徴とする請求項１に記載の制御装置。
【請求項３】
前記通信部に給電ハブを介して接続された複数の無線装置のそれぞれは、複数種類の変調方式に対応しており、
前記制御部は、取得した消費電力が増加すると、複数の無線装置に対して、変調多値数の小さい変調方式の使用を指示することを特徴とする請求項１または２に記載の制御装置。
【請求項４】
前記通信部に給電ハブを介して接続された複数の無線装置のそれぞれは、送信電力制御を実行可能であり、
前記制御部は、取得した消費電力が増加すると、複数の無線装置に対して、送信電力を低下するように指示することを特徴とする請求項１から３のいずれかに記載の制御装置。
【発明の詳細な説明】
【技術分野】
【０００１】
本発明は、制御技術に関し、特に複数の無線装置を接続する制御装置に関する。
【背景技術】
【０００２】
第二世代コードレス電話システムのような無線通信システムは、基地局装置と端末装置によって構成される。このような無線通信システムでは、サービスエリアの拡大と、周波数の有効利用が望まれる。そのため、ひとつの基地局装置によるサービスエリアがある程度小さくされ、かつ周波数を繰り返し利用した基地局装置が複数配置される（例えば、特許文献１参照）。
【特許文献１】特開平９−１６３４３２号公報
【発明の開示】
【発明が解決しようとする課題】
【０００３】
第二世代コードレス電話システムの基地局装置は、端末装置に対してデータを送受信する機能（以下、「送受信機能」という）を有する。さらに、基地局装置は、通信網とも接続しており、端末装置に割り当てるスロットと、通信網でのチャネルとを接続する機能（以下、「呼制御機能」という）も有する。すなわち、基地局装置は、複数のスロットによって構成されるフレームを規定しており、端末装置に所定のスロットを割り当てることによって、端末装置との通信を実現する。また、端末装置と通信網との間においてデータを中継する。なお、呼制御の機能には、秘匿鍵の設定等も含まれる。近年、基地局装置の構成の簡易化等を目的として、このような基地局装置の機能を複数の装置に分離することが提案されている。
【０００４】
すなわち、基地局装置が、無線装置と制御装置に分離される。ここで、基地局装置の送受信機能が無線装置に搭載され、基地局装置の呼制御機能が制御装置に搭載される。なお、無線装置と制御装置は、ＬＡＮケーブルのような有線ケーブルにて接続されるが、ひとつの制御装置に複数の無線装置を接続することによって、システム全体の構成も簡易化できる。その際、制御装置は、複数の無線装置に対する呼制御を実行する。一方、Ｅｔｈｅｒｎｅｔ（登録商標）の配線に使用されるケーブルを利用して電力を供給する技術として、ＰｏＥ（Ｐｏｗｅｒ  ｏｖｅｒ  Ｅｔｈｅｒｎｅｔ）がある。このようなＰｏＥは、前述の無線装置と制御装置に対して適用可能である。つまり、給電ハブの一端が、ケーブルを介して制御装置に接続され、かつ給電ハブの他端が、ケーブルを介して無線装置に接続される。このような構成において、給電ハブは、無線装置に対して電力を供給する。
【０００５】
給電ハブの最大供給電力は、所定の値に規定されている。無線装置の消費電力は、スロットの割当状況によって異なる。通信システムを安全に運用するためには、無線装置の最大消費電力をもとに、給電ハブに接続される無線装置の数が決定されるべきである。しかしながら、そのように決定された場合、無線装置の数が少なくなる傾向にある。無線装置の数よりも多くの接続端子が給電ハブに備えられている場合、接続端子の中には、無線装置に接続されないものもあり、接続端子に無駄が生じる。また、低コストでありながらもサービスエリアを拡大するためには、なるべく多くの無線装置が給電ハブに接続される方が望ましい。
【０００６】
本発明はこうした状況に鑑みてなされたものであり、その目的は、通信システムの安全な運用を維持しながらも、給電ハブに多くの無線装置を接続する制御技術を提供することにある。
【課題を解決するための手段】
【０００７】
上記課題を解決するために、本発明のある態様の制御装置は、無線ネットワークでのチャネルを割り当てることによって、端末装置との通信をそれぞれ実行する複数の無線装置を給電ハブ経由で一端に接続し、通信網を他端に接続しつつ、かつ複数の無線装置のそれぞれでの無線ネットワークのチャネルと、通信網でのチャネルとを接続する通信部と、通信部を介して、複数の無線装置におけるチャネルの割当状況をもとにした複数の無線装置での消費電力を取得する手段と、取得した消費電力と、給電ハブから複数の無線装置へ供給可能な電力に応じたしきい値とを比較することによって、複数の無線装置の動作を制御する手段とを含む制御部と、を備える。
【０００８】
「チャネル」とは、一般的に、ふたつの無線装置の間において通信を行うために設定される無線通信路のことを示す。具体的に、ＦＤＭＡ（Ｆｒｅｑｕｅｎｃｙ  Ｄｉｖｉｓｉｏｎ  Ｍｕｌｔｉｐｌｅ  Ａｃｃｅｓｓ）の場合は特定の周波数帯域を指し、ＴＤＭＡ（Ｔｉｍｅ  Ｄｉｖｉｓｉｏｎ  Ｍｕｌｔｉｐｌｅ  Ａｃｃｅｓｓ）の場合は特定のタイムスロットまたはスロットを指し、ＣＤＭＡ（Ｃｏｄｅ  Ｄｉｖｉｓｉｏｎ  Ｍｕｌｔｉｐｌｅ  Ａｃｃｅｓｓ）の場合は特定の符号系列を指す。ここでは、これらのうちのいずれであってもよいものとする。
【０００９】
この態様によると、消費電力としきい値との比較結果に応じて、複数の無線装置の動作を制御するので、消費電力が供給可能な電力よりも大きくならないように通信システムの安全な運用を維持しながらも、給電ハブに多くの無線装置を接続できる。
【００１０】
制御部は、取得した消費電力が増加すると、複数の無線装置に対する動作を制限してもよい。この場合、取得した消費電力が増加すると、複数の無線装置に対する動作を制限するので、消費電力を抑制できる。
【００１１】
通信部に給電ハブを介して接続された複数の無線装置のそれぞれは、複数種類の変調方式に対応しており、制御部は、取得した消費電力が増加すると、複数の無線装置に対して、変調多値数の小さい変調方式の使用を指示してもよい。この場合、取得した消費電力が増加すると、変調多値数の小さい変調方式を使用させるので、消費電力を抑制できる。
【００１２】
通信部に給電ハブを介して接続された複数の無線装置のそれぞれは、送信電力制御を実行可能であり、制御部は、取得した消費電力が増加すると、複数の無線装置に対して、送信電力を低下するように指示してもよい。この場合、取得した消費電力が増加すると、送信電力を低下させるので、消費電力を抑制できる。
【００１３】
なお、以上の構成要素の任意の組合せ、本発明の表現を方法、装置、システム、記録媒体、コンピュータプログラムなどの間で変換したものもまた、本発明の態様として有効である。
【発明の効果】
【００１４】
本発明によれば、通信システムの安全な運用を維持しながらも、給電ハブに多くの無線装置を接続できる。
【発明を実施するための最良の形態】
【００１５】
本発明を具体的に説明する前に、概要を述べる。本発明の実施例は、基地局装置の機能を無線装置と制御装置に分離させた通信システムに関する。前述のごとく、無線装置は、無線ネットワークを介して端末装置と通信する。また、制御装置は、一端において、有線ネットワークを介して無線装置と通信しつつ、他端において、通信網を接続し、無線ネットワークのチャネルと通信網のチャネルとの接続を実行する。さらに、制御装置と複数の無線装置との間には、給電ハブが接続されており、給電ハブは、複数の無線装置に電力を供給する。なお、無線装置の消費電力は、無線装置でのチャネルの割当状況に応じて異なる。
【００１６】
実施例において、給電ハブに接続される無線装置の数は、各無線装置が最大の消費電力を必要とする場合に、給電ハブによって電力を供給できないほどの数であるとする。つまり、多くの無線装置を接続することによって、全体のサービスエリアが拡大される。一方、各無線装置は、定期的にチャネルの割当状況を制御装置に報告する。制御装置は、チャネルの割当状況をもとに、複数の無線装置での消費電力を推定し、推定した消費電力が大きくなると、複数の無線装置での動作を制限する。例えば、無線装置が複数種類の変調方式に対応している場合、制御装置は、変調多値数の少ない変調方式の使用を指示したり、新規の発呼、着呼を受けつけないように指示する。このような制限によって、複数の無線装置での消費電力が抑制され、通信システムの安定性が維持される。
【００１７】
図１は、本発明の実施例に係る通信システム１００の構成を示す。通信システム１００は、端末装置１０、基地局システム２０、ネットワーク１４を含む。また、基地局システム２０は、無線装置２２と総称される第１無線装置２２ａ、第２無線装置２２ｂ、第３無線装置２２ｃ、第４無線装置２２ｄ、単独ＬＡＮケーブル２６と総称される第１単独ＬＡＮケーブル２６ａ、第２単独ＬＡＮケーブル２６ｂ、第３単独ＬＡＮケーブル２６ｃ、第４単独ＬＡＮケーブル２６ｄ、給電ハブ１６、共通ＬＡＮケーブル２８、制御装置２４を含む。
【００１８】
無線装置２２は、無線ネットワークでのチャネルを割り当てることによって、端末装置１０との通信を実行する。つまり、無線装置２２は、端末装置１０に対してデータを送受信するための送受信機能を有する。そのため、無線装置２２は、増幅機能、周波数変換機能、変復調機能、誤り訂正機能、再送機能等を有する。なお、第二世代コードレス電話システムの場合、チャネルがスロットであってもよい。無線装置２２は、複数のチャネルから構成されるフレームを規定している。ここで、フレームの構成は、第二世代コードレス電話システムにおけるフレームの構成と同一であるとする。しかしながら、無線装置２２は、呼制御機能を有していない。ここで、呼制御機能は、端末装置１０に割り当てたチャネルと、ネットワーク１４でのチャネルとを接続することに相当する。なお、図面を明瞭にするために、図１には、４つの無線装置２２が示されている。しかしながら、４つ以上の無線装置２２が含まれてもよく、例えば、１６台の無線装置２２が含まれる。
【００１９】
給電ハブ１６は、一端に、単独ＬＡＮケーブル２６を介して無線装置２２を接続し、他端に、共通ＬＡＮケーブル２８を介して制御装置２４を接続する。給電ハブ１６は、無線装置２２と制御装置２４との間においてデータを中継する。また、給電ハブ１６は、無線装置２２に対して電力を供給する。例えば、給電ハブ１６は、ＩＥＥＥ８０２．３ａｆ規格に準拠のＰｏＥ給電に対応する。ここで、無線装置２２は、複数種類の変調方式に対応しており、無線装置２２での消費電力は、無線装置２２でのチャネルの割当状況および使用している変調方式に依存して変動する。なお、給電ハブ１６によって供給可能な最大電力は、各無線装置２２での最大消費電力の和よりも小さいものとする。例えば、給電ハブ１６によって給電可能な最大電力は、１００Ｗであるとする。また、各無線装置２２での最大消費電力の和については、後述する。
【００２０】
制御装置２４は、一端に、共通ＬＡＮケーブル２８を介して給電ハブ１６経由で無線装置２２と接続し、他端に、ネットワーク１４と接続する。このような構成によって、制御装置２４は、複数の無線装置２２と通信する。また、制御装置２４は、呼制御機能によって、無線装置２２でのチャネルとネットワーク１４でのチャネルとを接続する。また、複数の無線装置２２のそれぞれにおける消費電力の合計値が、給電ハブ１６が供給可能な電力よりも小さくなるように、複数の無線装置２２に対する制御を実行する。制御の内容の詳細は、後述するが、制御を実行するために、制御装置２４は、複数の無線装置２２からチャネルの割当状況および変調方式についての情報を受けつける。
【００２１】
ネットワーク１４は、制御装置２４を接続する。また、ネットワーク１４は、図示しない交換機を備えており、通信経路を制御する。また、ネットワーク１４は、別の通信システム１００と接続してもよい。また、ネットワーク１４でのチャネルは、Ｄチャネル、Ｂチャネルを含む。
【００２２】
図２は、通信システム１００による通話開始の手順を示すシーケンス図である。第１無線装置２２ａは、端末装置１０に対して制御信号を送信する（Ｓ２００）。端末装置１０は、制御信号をもとに、第１無線装置２２ａとのタイミング同期を確立する（Ｓ２０２）。端末装置１０は、第１無線装置２２ａにリンクチャネル確立要求を送信する（Ｓ２０４）。第１無線装置２２ａは、端末装置１０にリンクチャネル割当を送信する（Ｓ２０６）。第１無線装置２２ａは、制御装置２４にＴＣＨ起動完了を送信する（Ｓ２０７）。端末装置１０は、第１無線装置２２ａにＣＣ呼設定を送信する（Ｓ２０８）。第１無線装置２２ａは、制御装置２４に呼設定を送信する（Ｓ２０９）。また、制御装置２４は、第１無線装置２２ａに呼設定受付を送信する（Ｓ２１１）。第１無線装置２２ａは、端末装置１０にＣＣ呼設定受付を送信する（Ｓ２１２）。端末装置１０は、第１無線装置２２ａにＲＴ定義情報要求を送信する（Ｓ２１３）。第１無線装置２２ａは、端末装置１０にＲＴ定義情報応答を送信する（Ｓ２１４）。
【００２３】
端末装置１０は、第１無線装置２２ａにＲＴ機能要求を送信する（Ｓ２１６）。第１無線装置２２ａは、端末装置１０にＲＴ機能要求応答を送信する（Ｓ２１８）。端末装置１０は、第１無線装置２２ａにＲＴ秘匿鍵設定を送信する（Ｓ２２０）。端末装置１０は、第１無線装置２２ａにＭＭ機能要求を送信する（Ｓ２２２）。第１無線装置２２ａは、端末装置１０にＭＭ機能要求応答を送信する（Ｓ２２４）。第１無線装置２２ａは、制御装置２４に認証開始を送信する（Ｓ２２６）。制御装置２４は、第１無線装置２２ａに認証要求を送信する（Ｓ２２８）。第１無線装置２２ａは、端末装置１０に認証要求を送信する（Ｓ２３０）。端末装置１０は、第１無線装置２２ａに認証応答を送信する（Ｓ２３２）。第１無線装置２２ａは、制御装置２４に認証応答を送信する（Ｓ２３４）。
【００２４】
制御装置２４は、ネットワーク１４に呼設定を送信する（Ｓ２３６）。ネットワーク１４は、制御装置２４に呼設定受付を送信する（Ｓ２３８）。以上の処理によって、第１無線装置２２ａでのチャネルとネットワーク１４でのチャネルとが、接続される。ネットワーク１４は、制御装置２４に呼出を送信する（Ｓ２４０）。制御装置２４は、第１無線装置２２ａに呼出を送信する（Ｓ２４２）。第１無線装置２２ａは、端末装置１０にＣＣ呼出を送信する（Ｓ２４４）。ネットワーク１４は、制御装置２４に応答を送信する（Ｓ２４６）。制御装置２４は、第１無線装置２２ａに応答を送信する（Ｓ２４８）。第１無線装置２２ａは、端末装置１０にＣＣ応答を送信する（Ｓ２５０）。制御装置２４は、ネットワーク１４に応答確認を送信する（Ｓ２５２）。端末装置１０とネットワーク１４とは、通話を実行する（Ｓ２５４）。
【００２５】
なお、一般的な通信システムでは、図示しない基地局装置が送受信機能と呼制御機能を両方とも有している。そのため、図２のうち、第１無線装置２２ａと制御装置２４との間の処理、例えば、ステップ２２６等が、基地局装置の内部にてなされる。一方、図１の通信システム１００では、無線装置２２が送受信機能を有し、制御装置２４が呼制御機能を有する。このような構成によって、無線装置２２は、基地局装置よりも簡易な構成を有する。また、複数の無線装置２２と制御装置２４を接続することによって、基地局システム２０は、複数の基地局装置よりも容易な構成を有する。
【００２６】
図３は、第１無線装置２２ａの構成を示す。第１無線装置２２ａは、ＲＦ部３０、変調部３２、復調部３４、処理部３６、ＬＡＮ−ＩＦ部３８、制御部４４を含む。第１無線装置２２ａ以外の無線装置２２も、同様の機能を有する。
【００２７】
送受信機能のうちの受信に対する機能として、ＲＦ部３０は、無線ネットワークを介して、図示しない端末装置１０からの信号を受信し、受信した信号に対して周波数変換を実行する。復調部３４は、周波数変換された信号を復調する。処理部３６は、復調された信号をＬＡＮ−ＩＦ部３８に出力する。一方、送受信機能のうちの送信に対する機能として、処理部３６は、ＬＡＮ−ＩＦ部３８から信号を受けつける。変調部３２は、受けつけた信号を変調する。ＲＦ部３０は、変調した信号に対して周波数変換を実行する。ＲＦ部３０は、無線ネットワークを介して、周波数変換された信号を図示しない端末装置１０に送信する。
【００２８】
前述のごとく、第１無線装置２２ａは、複数の端末装置１０と通信可能である。複数の端末装置１０に対するチャネルの割当は、処理部３６によってなされる。ここで、チャネルは、無線ネットワークでのチャネルに相当する。また、変調部３２および復調部３４は、複数種類の変調方式に対応している。ここで、複数種類の変調方式は、ＱＰＳＫ、１６ＱＡＭ、６４ＱＡＭであるとする。なお、変調方式の選択は、処理部３６によってなされるが、公知の技術を使用すればよいので、ここでは説明を省略する。
【００２９】
また、第１無線装置２２ａの消費電力は、変調方式、チャネルの割当状況に応じて変動する。例えば、ＱＰＳＫを使用しながら、ひとつの端末装置１０にチャネルを割り当てる場合の消費電力は「０．４Ｗ」であるが、変調方式を１６ＱＡＭ、６４ＱＡＭにすると、消費電力は、「０．６Ｗ」、「０．８Ｗ」になる。一方、１６台の端末装置１０にチャネルを割り当てる場合、変調方式がＱＰＳＫ、１６ＱＡＭ、６４ＱＡＭであるときの消費電力は、「６．４Ｗ」、「９．６Ｗ」、「１２．８Ｗ」になる。図１では、４台の無線装置２２が示されているが、１６台の無線装置２２が給電ハブ１６に接続されていると、消費電力は、上記の値の約１６倍になる。その結果、給電ハブ１６によって供給可能な最大電力「１００Ｗ」よりも大きくなる場合が発生する。
【００３０】
処理部３６は、ＬＡＮ−ＩＦ部３８を介して、チャネルの割当状況、つまり何台の端末装置１０にチャネルを割り当てているかと、変調方式に関する情報を制御装置２４へ定期的に送信する。例えば、処理部３６は、これらの情報を１００ｍｓｅｃ間隔で送信する。ＬＡＮ−ＩＦ部３８は、第１単独ＬＡＮケーブル２６ａを介して、図示しない制御装置２４と接続する。制御部４４は、装置全体のタイミング等を制御する。
【００３１】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３２】
図４は、制御装置２４の構成を示す。制御装置２４は、ＬＡＮ−ＩＦ部５０、処理部５２、ネットワークＩＦ部５４、記憶部５６、制御部６０を含む。ＬＡＮ−ＩＦ部５０は、共通ＬＡＮケーブル２８を介して、図示しない給電ハブ１６経由で、図示しない無線装置２２と接続する。ネットワークＩＦ部５４は、ネットワーク１４と接続する。
【００３３】
処理部５２は、図示しない端末装置１０に対するチャネルと、図示しないネットワーク１４でのチャネルとを接続する。このような接続によって、処理部５２は、通信対象の切替の制御を実行する。すなわち、ネットワークＩＦ部５４がネットワーク１４から信号を受けつけたときに、信号に含まれた宛先にしたがって、処理部５２は、所定の無線装置２２に信号を出力する。記憶部５６は、処理部５２でのチャネルの割当の結果を記録する。以上の処理を実行する際に、処理部５２は、ＬＡＮ−ＩＦ部５０を介して、無線装置２２と通信する。
【００３４】
処理部５２は、ＬＡＮ−ＩＦ部５０を介して、複数の無線装置２２のそれぞれから、チャネルの割当状況および変調方式に関する情報を定期的に受けつける。前述のごとく、例えば、情報は、１００ｍｓｅｃ間隔で受けつけられる。処理部５２は、受けつけた情報をもとに、複数の無線装置２２での消費電力を推定する。例えば、記憶部５６には、情報の内容と消費電力とを対応づけたテーブルが予め記憶されており、処理部５２は、当該テーブルを参照しながら、受けつけた情報のそれぞれに対応した消費電力を取得する。なお、テーブルは、実験結果やシミュレーション結果をもとに作成されているものとする。また、処理部５２は、複数の無線装置２２のそれぞれに対応した消費電力を積算することによって、複数の無線装置２２における消費電力を導出する。
【００３５】
また、記憶部５６には、給電ハブ１６から複数の無線装置２２へ供給可能な電力に応じたしきい値が記憶されている。前述のごとく、給電ハブ１６から複数の無線装置２２へ供給可能な電力は、１００Ｗとされるので、これに応じたしきい値１としきい値２とが記憶されている。また、しきい値１は、「８０Ｗ」に相当し、しきい値２は、「９５Ｗ」に相当する。処理部５２は、導出した消費電力と、記憶部５６に記憶したしきい値１および２とを比較することによって、複数の無線装置２２の動作を制御する。処理部５２は、消費電力がしきい値１よりも大きくなると、複数の無線装置２２に対して、変調多値数の小さい変調方式の使用を指示する。
【００３６】
ここで、変調多値数の小さい変調方式は、ＱＰＳＫに相当する。また、処理部５２は、消費電力がしきい値２よりも大きくなると、複数の無線装置２２に対して新規の発呼および着呼を受けつけないように指示する。ここで、指示は、ＬＡＮ−ＩＦ部５０を介して無線装置２２へ出力される。制御部６０は、装置全体のタイミング等を制御する。
【００３７】
以上の構成による通信システム１００の動作を説明する。図５は、制御装置２４による無線装置２２の制御手順を示すフローチャートである。処理部５２は、ＬＡＮ−ＩＦ部５０を介して、無線装置２２でのチャネルの割当状況および変調方式を取得し（Ｓ１０）、消費電力を推定する（Ｓ１２）。消費電力がしきい値１よりも大きければ（Ｓ１４のＹ）、処理部５２は、変調方式をＱＰＳＫに制限する（Ｓ１６）。また、消費電力がしきい値２よりも大きければ（Ｓ１８のＹ）、処理部５２は、発呼、着呼を制限する（Ｓ２０）。一方、消費電力がしきい値１よりも大きくなければ（Ｓ１４のＮ）、処理部５２は、無線装置２２に対する制限を行わない（Ｓ２４）。また、消費電力がしきい値２よりも大きくなければ（Ｓ１８のＮ）、処理部５２は、発呼、着呼の制限を行わない（Ｓ２２）。
【００３８】
本発明の実施例によれば、消費電力としきい値との比較結果に応じて、複数の無線装置の動作を制御するので、供給可能な電力よりも消費電力を小さくできる。また、供給可能な電力よりも消費電力が小さくなるので、通信システムの安全な運用を維持できる。また、供給可能な電力よりも消費電力が小さくなるので、給電ハブに多くの無線装置を接続できる。また、給電ハブに多くの無線装置を接続できるので、サービスエリアを拡大できる。また、給電ハブに多くの無線装置を接続できるので、コストの増加を抑制できる。また、取得した消費電力が増加すると、複数の無線装置における発呼、着呼を制限するので、消費電力を抑制できる。また、取得した消費電力が増加すると、変調多値数の小さい変調方式を使用させるので、消費電力を抑制できる。
【００３９】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４０】
本発明の実施例において、無線装置２２は、チャネルの割当状況および変調方式に関する情報を制御装置２４へ送信し、制御装置２４は、これらの情報から消費電力を導出している。しかしながらこれに限らず例えば、無線装置２２は、チャネルの割当状況および変調方式から消費電力を導出し、導出した消費電力を制御装置２４へ送信してもよい。その際、制御装置２４は、複数の無線装置２２のそれぞれからの消費電力を積算することによって、複数の無線装置２２における消費電力を導出する。本変形例によれば、制御装置２４の処理を簡略化できる。
【００４１】
本発明の実施例において、無線装置２２は、チャネルの割当状況および変調方式に関する情報を制御装置２４へ送信し、制御装置２４は、これらの情報から消費電力を導出している。しかしながらこれに限らず例えば、制御装置２４は、処理部５２での接続の状況から消費電力を推定してもよい。本変形例によれば、無線装置２２と制御装置２４との間のトラヒックを低減できる。
【００４２】
本発明の実施例において、処理部５２は、複数の無線装置２２に対する制御として、変調方式の制限、発呼および着呼の制限を実行している。しかしながらこれに限らず例えば、処理部５２は、これらのいずれか一方のみを実行してもよい。また、これら以外の制限を実行してもよい。本変形例によれば、基地局システム２０の構成の自由度を向上できる。
【００４３】
本発明の実施例において、制御装置２４は、消費電力が増加すると、複数の無線装置２２に対して、変調方式の変更を指示している。しかしながらこれに限らず例えば、ＬＡＮ−ＩＦ部５０に共通ＬＡＮケーブル２８を介して接続された複数の無線装置２２のそれぞれは、送信電力制御を実行可能であり、制御装置２４は、取得した消費電力が増加すると、複数の無線装置２２に対して、送信電力を低下するように指示してもよい。本変形例によれば、取得した消費電力が増加すると、送信電力を低下させるので、消費電力を抑制できる。
【図面の簡単な説明】
【００４４】
【図１】本発明の実施例に係る通信システムの構成を示す図である。
【図２】図１の通信システムによる通話開始の手順を示すシーケンス図である。
【図３】図１の第１無線装置の構成を示す図である。
【図４】図１の制御装置の構成を示す図である。
【図５】図４の制御装置による無線装置の制御手順を示すフローチャートである。
【符号の説明】
【００４５】
１０  端末装置、  １４  ネットワーク、  １６  給電ハブ、  ２０  基地局システム、  ２２  無線装置、  ２４  制御装置、  ２６  単独ＬＡＮケーブル、  ２８  共通ＬＡＮケーブル、  ３０  ＲＦ部、  ３２  変調部、  ３４  復調部、  ３６  処理部、  ３８  ＬＡＮ−ＩＦ部、  ４４  制御部、  ５０  ＬＡＮ−ＩＦ部、  ５２  処理部、  ５４  ネットワークＩＦ部、  ５６  記憶部、  ６０  制御部、  １００  通信システム。
【図１】
2008236108.tif 000003
【図２】
2008236108.tif 000004
【図３】
2008236108.tif 000005
【図４】
2008236108.tif 000006
【図５】
2008236108.tif 000007